(57)【要約】【課題】柱型枠や梁型枠を組む必要のある現場でも、一種類の支保治具で合板型枠の端部に寄せてセパレータの位置を桟木に近い位置に取り付けることができ、割付図の作図、事務処理、運送・保管管理などの簡素化を図ることができるコンクリート型枠支保治具を得る。【解決手段】コンクリート型枠の外面に面接触で当接する水平鍔部２をドーム部３周囲に形成した金属製帽子状体１であり、ドーム部３は頂部から内方に向けての陥没部４を形成し、前記陥没部４の底板１３および前記ドーム部３の外側面の斜辺に、コンクリート型枠間に架設する連結杆の端部またはその延長部の貫通孔６，２１を適宜数設ける。【選択図】        図１
2006028892.tif 000002
【特許請求の範囲】
【請求項１】
コンクリート型枠の外面に面接触で当接する水平鍔部をドーム部周囲に形成した金属製帽子状体であり、ドーム部は頂部から内方に向けての陥没部を形成し、前記陥没部の底板および前記ドーム部の外側面の斜辺に、コンクリート型枠間に架設する連結杆の端部またはその延長部の貫通孔を適宜数設けたことを特徴とするコンクリート型枠支保治具。
【請求項２】
前記ドーム部の外側面に設ける貫通孔は、斜辺の略中央位置に設けることを特徴とする請求項１記載のコンクリート型枠支保治具。
【発明の詳細な説明】
【技術分野】
【０００１】
本発明は、コンクリート型枠を担持するコンクリート型枠支保治具に関するものである。
【背景技術】
【０００２】
コンクリート型枠の担持（支保）具として、図６〜図８に示すようなものがある（例えば特許文献１参照）。これは、コンクリート型枠の外側に面接触で当接する水平鍔部２をドーム部３周囲に形成した金属製帽子状体１であり、ドーム部３は頂部から内方に向けての陥没部４を形成し、さらに、水平鍔部２に膨出溝条による補強リブ５を放射状に配列し、この陥没部４底部にはコンクリート型枠間に架設する連結杆の端部またはその延長部の貫通孔６を設け、また、ドーム部３に空気抜き孔７を設けたものである。
【０００３】
かかるコンクリート型枠の支保治具の使用法を説明すると、図７に示すようにコンクリート型枠である合板型枠８間には連結杆たるセパレータ９と、前記セパレータ９の両端に取り付けられ合板型枠８の内壁面に当接して合板型枠８間の間隔を規制して合板型枠８間の間隔を一定に保つ既知の座金、Ｐコン、ハリＰコン等の係止具１０とが配設される。さらに、軸足１１が前記係止具１０の一端より突出し、後述の固定具であるフォームタイ１２に連結されるように設けられる。この軸足１１は係止具１０と一体不可分のものでも、または、螺合して分離可能なものでもよい。
【０００４】
前記金属製帽子状体１は、軸足１１またはセパレータ９に直接装着されるものとして、合板型枠８の外側面に適宜間隔で配置し、その際、水平鍔部２および陥没部４の底板１３が合板型枠８の外側面に当接する。
【０００５】
このようにして軸足１１に金属製帽子状体１を装着した後、陥没部４の底板１３の貫通孔６から出る軸足１１の後端にさらに固定具であるフォームタイ１２連結する。その際、フォームタイ１２の脚部フランジ１２ａが底板１３を押さえる。
【０００６】
前記フォームタイ１２と、このフォームタイ１２に装着され、横のバタパイプ１４に向かって押圧されて金属製帽子状体１との間でバタパイプ１４を挟持する押圧金具である三型リブ座１５と、前記フォームタイ１２の外周に螺合されるナット１６で全体を締結する。
【０００７】
フォームタイ１２に装着される三型リブ座１５は横のバタパイプ１４の外周よりも若干大きめに形成された切欠円弧状の係止部が形成され、フォームタイ１２の外周に形成された雄ねじに螺合されたナット１６の締め付けにより合板型枠８側に押圧されて横のバタパイプ１４が固定される。
【０００８】
ところで、図８に示すように合板型枠８の端部に補強のための桟木１７がある場合、フォームタイ１２の貫通孔６が金属製帽子状体１の中央に位置しているため、金属製帽子状体１の半径プラス桟木１７の幅以下の距離に金属製帽子状体１を合板型枠８の端に寄せることができない。
【０００９】
ところで、柱型枠などに実施する場合は、該柱型枠が直交する４枚のパネルで平面四角形状に構成されるため、パネルの端部がつき合わさる角部において、コンクリート漏れなどが生じることがある。
【００１０】
かかる不都合を解消して型枠端部の変形を防ぐためには、セパレータ９をできる限り型枠端部に近い位置に配置し、端部の変形がおきにくいようにする。しかしながら、前記のように金属製帽子状体１の中心に貫通孔６が位置している支保治具では、前記のように金属製帽子状体１の半径プラス桟木１７の幅以下の距離に金属製帽子状体１を合板型枠８の端に寄せることができない。この距離は実際には５０ｍｍ程度である。
【００１１】
そこで、従来は、例えば図９に示すような半月型の支保治具１８を使用している（例えば特許文献２参照）。この半月型のものは、貫通孔６をドームに対してオフセットさせ、図１０に示すように、半月型の直線状部を桟木１７に当接させることで、フォームタイ１２に接続されるセパレータ９の位置を桟木１７に近い端部に寄せることができるようにした。
【００１２】
梁型枠についても、これが直交する３枚のパネルで構成されることから、柱型枠の場合と同様の問題がある。
【特許文献１】特許第３４１１５５５号公報
【特許文献２】特開２００３−３６６６号公報
【発明の開示】
【発明が解決しようとする課題】
【００１３】
壁型枠だけでなく、柱型枠や梁型枠も組む必要のある現場では、標準タイプのものとしての図６に示す支保治具に加えて、図９に示す半月タイプのものも用意する必要があり、割付図の作図、事務処理、運送・保管管理など煩雑な手間を要する。
【００１４】
本発明の目的は前記従来例の不都合を解消し、柱型枠や梁型枠を組む必要のある現場でも、一種類の支保治具で合板型枠の端部に寄せてセパレータの位置を桟木に近い位置に取り付けることができ、割付図の作図、事務処理、運送・保管管理などの簡素化を図ることができるコンクリート型枠支保治具を提供することにある。
【課題を解決するための手段】
【００１５】
本発明は前記目的を達成するものとして、請求項１記載の発明は、コンクリート型枠の外面に面接触で当接する水平鍔部をドーム部周囲に形成した金属製帽子状体であり、ドーム部は頂部から内方に向けての陥没部を形成し、前記陥没部の底板および前記ドーム部の外側面の斜辺に、コンクリート型枠間に架設する連結杆の端部またはその延長部の貫通孔を適宜数設けたことを要旨とするものである。
【００１６】
請求項１記載の本発明によれば、コンクリート型枠間に架設する連結杆の端部またはその延長部の貫通孔を、ドーム部の外側面の斜辺に設けたから、貫通孔が金属製帽子状体の縁に近い偏心位置に形成されることになる。よって、柱型枠や梁型枠に使用する場合、合板型枠の端部に寄せてセパレータの位置を桟木に近い位置に取り付けることができる。
【００１７】
また、壁型枠に使用する場合は、従来と同様に陥没部の底板に設けてある貫通孔を使用すれば、金属製帽子状体の中心部にセパレータをしっかりと取り付けることができ、同一の治具で壁型枠、柱型枠、梁型枠のいずれにも対応できる。
【００１８】
請求項２記載の発明は、前記ドーム部の外側面に設ける貫通孔は、斜辺の略中央位置に設けることを要旨とするものである。
【００１９】
請求項２記載の本発明によれば、金属製帽子状体の偏心位置に貫通孔を設ける場合であっても、ドーム部の斜辺の略中央位置に限定することで、ドーム部の端により過ぎることがなく、セパレータの取付が不安定になることはない。
【発明の効果】
【００２０】
以上述べたように本発明のコンクリート型枠支保治具は、壁型枠だけでなく柱型枠や梁型枠を組む必要のある現場でも、コンクリート型枠間に架設する連結杆の貫通孔を支保治具の中心位置だけでなく偏心位置にも設けたから、柱型枠や梁型枠に使用する場合は、合板型枠の端部に寄せてセパレータの位置を桟木に近い位置に取り付けることができ、半月型の支保治具を用意することなく一種類の支保治具で全ての型枠に対応できる。よって、割付図の作図、事務処理、運送・保管管理などの簡素化を図ることができるものである。
【発明を実施するための最良の形態】
【００２１】
以下、図面について本発明の実施形態を詳細に説明する。図１は本発明のコンクリート型枠支保治具の実施形態を示す横断平面図、図２は同上正面図で、基本構造は図６〜図８に示した従来例と同様であり、同一の構成要素には同一の参照符号を付してある。
【００２２】
本発明のコンクリート型枠支保治具も、コンクリート型枠である合板型枠８の外面に面接触で当接する円形リングによる水平鍔部２を円錐台形状のドーム部３の周囲に形成した金属製帽子状体１である。金属製材料としては鋼製、ステンレス製、アルミ合金製等が採用し得る。
【００２３】
さらに、ドーム部３は頂部から内方に向けての逆円錐台形状の陥没部４を形成し、この陥没部４の底には水平な底板１３を設けた。この陥没部４の底板１３は前記水平鍔部２に並ぶ位置にすることにより該水平鍔部２と同様に合板型枠８の外面に面接触で当接するものとする。
【００２４】
水平鍔部２の外周縁は巻きリブ２０として形成し、また、この水平鍔部２には金属製帽子状体１の中心に向かう方向の脹出溝条による補強リブ５を放射状（図示の例では４５°間隔で８個）に配列し、この補強リブ５はドーム部３の外面側方から頂部にかけても直線状に延設して形成するものとした。
【００２５】
さらに、陥没部４の内周壁にも前記補強リブ５に対応する位置に脹出溝条による補強リブ５′を設けるようにした。このようにした補強リブ５，５′は図２に示すように金属製帽子状体１の全体に対して中心である陥没部４の底板１３から水平鍔部２までほぼ（ドーム部２は頂部の平坦部を除いて）直線状になり、しかも、放射状（図示の例では４５°間隔で８個）に配列される。
【００２６】
前記陥没部４の底板１３には、後述のようにコンクリート型枠である合板型枠８間に架設する連結杆としてのセパレータ９の端部またはその延長部の貫通孔６を設けた。
【００２７】
本発明は、前記貫通孔６の形成箇所として、底板１３だけでなく、前記ドーム部３の外側面の斜辺にも、この斜辺の高さ方向の略中央に位置させて適宜数、図２に示す例では対称位置にそれぞれ１箇所、合計２箇所に貫通孔２１を別途設けた。
【００２８】
この貫通孔２１は、ドーム部３の斜辺に新たに設けることもできるが、従来からの空気抜き孔７を利用してこれを拡径することで形成することも可能である。
【００２９】
そして、貫通孔２１と空気抜き孔７とを兼用することもできるが、空気抜き孔７をドーム部３の陥没部４に設けることもできる。
【００３０】
次にかかるコンクリート型枠の支保治具の使用法を図３〜図５について説明する。図５に示すようにコンクリート柱型枠の場合、合板型枠８は方形に組み合わされ、隣接する型枠パネルは相互に直交するようにＴ字形に突き合わされ、直角を保持するために型枠パネルとバタパイプ１４との間には桟木１７が介在される。
【００３１】
コンクリート型枠である合板型枠８間には連結杆たるセパレータ９と、前記セパレータ９の両端に取り付けられ合板型枠８の内壁面に当接して合板型枠８間の間隔を規制して合板型枠８間の間隔を一定に保つ既知の座金、Ｐコン、ハリＰコン等の係止具１０とが配設される。さらに、軸足１１が前記係止具１０の一端より突出し、後述の固定具であるフォームタイ１２に連結されるように設けられる。この軸足１１は係止具１０と一体不可分のものでも、または、螺合して分離可能なものでもよい。
【００３２】
前記金属製帽子状体１は、軸足１１またはセパレータ９に直接装着されるものとして、合板型枠８の外側面に適宜間隔で配置し、その際、水平鍔部２および陥没部４の底板１３が合板型枠８の外側面に当接する。
【００３３】
また、直交して組み合わさる合板型枠８の型枠パネル同士の角部近傍に配置される金属製帽子状体１は、図３、図４に示すように貫通孔２１を設けた側の水平鍔部２が桟木１７と当接する。
【００３４】
これにより、貫通孔２１を桟木１７の近くに位置させることができ、安定した状態で金属製帽子状体１の取り付けが容易になる。
【００３５】
このようにして軸足１１に金属製帽子状体１を装着した後、ドーム部３の外側斜辺の略中央位置に設けた貫通孔２１から出る軸足１１の後端にさらに固定具であるフォームタイ１２連結する。
【００３６】
前記フォームタイ１２と、このフォームタイ１２に装着され、横のバタパイプ１４に向かって押圧されて金属製帽子状体１との間でバタパイプ１４を挟持する押圧金具である三型リブ座１５と、前記フォームタイ１２の外周に螺合されるナット１６で全体を締結する。
【００３７】
フォームタイ１２に装着される三型リブ座１５は横のバタパイプ１４の外周よりも若干大きめに形成された切欠円弧状の係止部が形成され、フォームタイ１２の外周に形成された雄ねじに螺合されたナット１６の締め付けにより合板型枠８側に押圧されて横のバタパイプ１４が固定される。
【００３８】
この状態で、フォームタイ１２やセパレータ９で、直交して組み合わさる合板型枠８の型枠パネル同士の角部近傍に配置されたものは、可能な限り角部に近い位置で合板型枠１同士を結合し、隣接して直交する合板型枠１同士を直交状態を保持して所定位置に固定するから、その後のコンクリート打設時にコンクリート側圧により型枠パネルの端部が変形することがなく、コンクリート漏れも防止できる。
【図面の簡単な説明】
【００３９】
【図１】本発明のコンクリート型枠支保治具の実施形態を示す横断平面図である。
【図２】本発明のコンクリート型枠支保治具の実施形態を示す正面図である。
【図３】本発明のコンクリート型枠支保治具の実施形態を示す使用状態の横断平面図である。
【図４】本発明のコンクリート型枠支保治具の実施形態を示す使用状態の正面図である。
【図５】本発明のコンクリート型枠支保治具の実施形態を示す平面図である。
【図６】従来のコンクリート型枠支保治具の第１例を示す正面図である。
【図７】従来のコンクリート型枠支保治具の第１例を示す横断平面図である。
【図８】従来のコンクリート型枠支保治具の第１例を示す使用状態の正面図である。
【図９】従来のコンクリート型枠支保治具の第１例を示す正面図である。
【図１０】従来のコンクリート型枠支保治具の第２例を示す使用状態の正面図である。
【符号の説明】
【００４０】
１…金属製帽子状体                ２…水平鍔部
３…ドーム部                      ４…陥没部
５，５′…補強リブ                ６…貫通孔
７…空気抜き孔                    ８…合板型枠
９…セパレータ                    １０…係止具
１１…軸足                        １２フォームタイ
１２ａ…脚部フランジ
１３…底板                        １４…バタパイプ
１５…三型リブ座                  １６…ナット
１７…桟木                        １８…支保治具
２０…巻きリブ                    ２１…貫通孔
【図１】
2006028892.tif 000003
【図２】
2006028892.tif 000004
【図３】
2006028892.tif 000005
【図４】
2006028892.tif 000006
【図５】
2006028892.tif 000007
【図６】
2006028892.tif 000008
【図７】
2006028892.tif 000009
【図８】
2006028892.tif 000010
【図９】
2006028892.tif 000011
【図１０】
2006028892.tif 000012